(57)【要約】    【課題】  風を受けても釣糸が引き上げられ難く一定の深さに釣針を位置させることができる浮きを提供する。    【解決手段】  この浮きは、本体部１と、本体部１の内部に収納されている錘２と、フランジ体３とからなる。錘２は本体部１の貫通孔１ａの一方の開口付近に挿入されて固定されている。軸方向に孔が貫通しており、この孔は上述の本体部１の貫通孔１ａに連通するものである。フランジ体３は、本体部１の貫通孔１ａ内において、上述の錘２に隣接する上空側に内嵌される。このフランジ体３の水底側の端部は、水底方向に傾斜し且つ径方向於いて内側に張り出すフランジとなっている。【選択図】      図1
2004215652.tif 000002
【特許請求の範囲】
【請求項１】
釣糸に浮き止めを取り付けて行う魚釣りの際に用いられる浮きであって、
釣糸が挿通するための貫通孔が鉛直方向に形成された本体部と、
前記貫通孔を挿通する釣糸の浮き止めの水底側への導出を抑止する第１抑止手段と、
前記第１抑止手段に抑止された釣糸の浮き止めが第１抑止手段に抑止された状態から上空側へ逆導出されるのを抑止するための第２抑止手段と、
を備えた浮き。
【請求項２】
前記本体部の貫通孔の内部に配置される部材であり、前記貫通孔に連通する前記貫通孔より小径の孔が形成され、その孔の内周面に複数の凹凸が形成されている第１部材と、
前記本体部の貫通孔の内部の前記第１部材の上空側に一定の間隔を隔てて配置される部材であり、前記貫通孔の軸方向に於いて水底方向に傾斜し且つ径方向於いて内側に張り出すフランジを有している第２部材とをさらに備え、
前記第１部材が前記第１抑止手段であり、前記第２部材が前記第２抑止手段である、請求項１に記載の浮き。
【請求項３】
前記本体部の貫通孔の内部に配置され、前記貫通孔に連通する孔を有する磁石と、釣糸上の所定の位置に装着される磁性体とを有し、前記第１抑止手段及び前記第２抑止手段が前記磁石であり、前記磁性体が前記浮き止めである、請求項１に記載の浮き。
【請求項４】
前記本体部の貫通孔の内部に配置され、前記貫通孔に連通する孔を有する磁性体と、釣糸上の所定の位置に装着される磁石とを有し、前記第１抑止手段及び前記第２抑止手段が前記磁性体であり、前記磁石が前記浮き止めである、請求項１に記載の浮き。
【請求項５】
前記本体部の貫通孔は部分的に他の部分に比較して小径化されており、
前記本体部の貫通孔の内部の前記小径化された領域の上空側に一定の間隔を隔てて配置される部材であり、前記貫通孔の軸方向に於いて水底方向に傾斜し且つ径方向於いて内側に張り出すフランジを有している部材をさらに備え、
前記貫通孔の小径化された部分が前記第１抑止手段であり、前記部材が前記第２抑止手段である、請求項１に記載の浮き。
【請求項６】
前記第１抑止手段及び前記第２抑止手段は、前記本体部の貫通孔の軸方向の中央付近に配置されている、請求項１〜５の何れかに記載の浮き。
【発明の詳細な説明】
【技術分野】
【０００１】
本発明は魚釣りに用いる浮き、特に、中通し浮きと呼ばれるタイプの浮きに関する。
【背景技術】
【０００２】
魚釣りの際に用いられる浮きとして「中通し浮き」と呼ばれるタイプのものがある。
この「中通し浮き」には、第１のタイプとして「固定仕掛け用中通し浮き」と呼ばれるものがある。固定仕掛け用中通し浮きは、釣糸が挿通する貫通孔を軸方向に有しており、ここに釣糸を挿通した上で、さらに止めピンなどを貫通孔に挿入して釣糸を貫通孔内において位置決めし、釣糸上の任意の長手方向位置に浮きを固定するものである。
【０００３】
「中通し浮き」の第２のタイプとして、「半遊動仕掛け用中通し浮き」と呼ばれるものがある。例えば、従来のこのタイプの浮きは、釣糸が挿通する貫通孔を有する本体部を有し、この貫通孔の水底側出口の径を小径化させたものである。そして、釣糸に浮き止めを取り付けておき、釣り操作を行う（特許文献１参照）。
【０００４】
この第２のタイプの浮きでは、水中に仕掛けを投じると、中通し浮きは水面に浮遊し、釣糸の先端に取り付けた錘や釣針などの重さによって釣糸は先端側から沈降する。釣糸が浮き止めを取り付けた位置まで沈降すると、浮き止めが遊動浮きの貫通孔内の小径部分に当たり、釣糸の沈降が止まる。このようにして、水面より一定の深さに釣針を位置させることができることになるのである。
【０００５】
このような「半遊動仕掛用中通し浮き」は、狙いとする魚が生息する水深が深い場合に用いられるものである。即ち、狙いとする魚が生息する水深が深ければ、その水深にあわせて浮きと仕掛けとの間の距離を設定するので、浮きと仕掛けとの間の距離が長くなる。浮きと仕掛けとの間の距離が長い場合に「固定仕掛用中通し浮き」を利用すると、この浮きの位置までしか釣糸をリールに巻き上げることができないので、仕掛けに係った魚を取り込み難い。そこで、必要に応じて、浮きと仕掛けとの間の距離を変更し得るような「半遊動仕掛用中通し浮き」が必要となるのである。
【０００６】
また、このような「半遊動仕掛用中通し浮き」を利用すれば、浮き止めの位置を調整することで、仕掛けの位置する深さを容易に変更することも可能であり、釣り場の状況にあわせて機動的に対応できる。
【特許文献１】特開平8-33443号公報
【発明の開示】
【発明が解決しようとする課題】
【０００７】
しかし、上述のような従来の「半遊動仕掛用中通し浮き」においては以下のような問題点が指摘される。
【０００８】
第１の問題点として、従来の「半遊動仕掛用中通し浮き」は風の影響を受けるという問題がある。即ち、従来の「半遊動仕掛用中通し浮き」では、釣針等の仕掛けを水面から一定の深さに留めても、水面上に位置する釣糸が強い風を受けて流されると、釣糸は遊動浮きを逆に挿通して水面から引き上げられ、釣針等の仕掛けが予定の深さより浅い位置へと引き上げられてしまう。釣針の水深が変化すると、狙った魚を上手く捉えられない。
【０００９】
このような問題に対して、本体部の貫通孔の上空側の口端に、釣糸の浮き止めの逆走を防止するためのリングなどを配置する対応方法が考えられる。
【００１０】
しかし、仮に上述のような対応を施したとしても、さらに第２の問題点として、従来の「半遊動仕掛用中通し浮き」では魚が仕掛けに係った際の「当たり」に瞬時に反応し得ないという問題がある。即ち、上述の対応をさらに施した「半遊動仕掛用中通し浮き」を用いた魚釣りにおいては、風等の影響を受けても釣糸の浮き止めは上述のリングにより中通し浮きの本体部内に留められ、従って、釣針等の仕掛けが予定の深さより浅い位置に引き上げられることは防止できる。しかし、浮き止めが上述のリングに当たっているので、仕掛けに係った魚が釣糸を引きつけても、浮き止めが貫通孔内の小径部分に当たるまで貫通孔内を移動する一定のタイムラグが発生する。釣人は浮きの動きを見て「当たり」に反応するので、このようなタイムラグは、釣人が瞬時に適格に「当たり」に反応して釣針などに魚を引っ掛ける上での大きな障害となる。
【００１１】
本発明は、風を受けても釣糸が引き上げられ難く一定の深さに釣針を位置させることができる浮きを提供することにある。さらに、釣人が「当たり」に的確に反応できる浮きを提供することにある。
【課題を解決するための手段】
【００１２】
本発明の浮きは、釣糸に浮き止めを取り付けて行う魚釣りの際に用いられる浮きであって、釣糸が挿通するための貫通孔が鉛直方向に形成された本体部と、貫通孔を挿通する釣糸の浮き止めの水底側への導出を抑止する第１抑止手段と、第１抑止手段に抑止された釣糸の浮き止めが第１抑止手段に抑止された状態から上空側へ逆導出されるのを抑止するための第２抑止手段とを備えている。
【００１３】
この浮きは、本体部の貫通孔に釣糸を挿通した状態で用いられる。例えば、釣糸の一定の位置に結び目や小球などを取り付けおく。これが浮き止めである。水中に釣糸の先端に連結した仕掛けを投じると、本体部は水面に浮遊し、釣糸の先端に取り付けた錘や釣針などの仕掛けの重さによって釣糸は先端側から沈降する。釣糸が結び目等の浮き止めの位置まで沈降すると、第１抑止手段が結び目等を係止して、釣糸がそれ以上水底側へ導出するのを抑える。そして、釣糸の沈降が止まる。このようにして、水面より一定の深さに釣針等の仕掛けを位置させることができる。
【００１４】
一方、水面上で強風等により釣糸が流されると、釣糸が逆に浮きから上空方向へ引き戻される場合もある。この場合には、第２抑止手段が第１抑止手段によって水底側への移動が抑制されている釣糸の結び目等の浮き止めを係止して、釣糸がその位置から上空側へ逆導出されるのを抑える。そして、沈降している釣針の深さを一定の位置に留める。このように、第２抑止手段は、浮き止めが第１抑止手段に抑制されている状態で釣糸の逆導出を抑止している。よって、仕掛けに魚が係り、魚が釣糸を引き込んだ際には、浮き止めが瞬時に第１抑止手段に当たって、浮きが反応することになる。
【００１５】
例えば、このような浮きの１つは、本体部の貫通孔の内部に配置される部材であり、貫通孔に連通する貫通孔より小径の孔が形成され、その孔の内周面に複数の凹凸が形成されている第１部材と、本体部の貫通孔の内部の第１部材の上空側に一定の間隔を隔てて配置される部材であり、貫通孔の軸方向に於いて水底方向に傾斜し且つ径方向於いて内側に張り出すフランジを有している第２部材とを備えるものである。この第１部材が第１抑止手段であり、第２部材が第２抑止手段である。
【００１６】
この浮きも、本体部の貫通孔に釣糸を挿通した状態で用いられる。また、釣糸の一定の位置に結び目や小球などを浮き止めとして取り付けおく。水中に仕掛けを投じると、本体部は水面に浮遊し、釣糸の先端に取り付けた錘や釣針などの重さによって釣糸は先端側から沈降する。釣糸の結び目等の浮き止めは第２部材を挿通して本体部の貫通孔内に至り、その後、第１部材の小径の孔に結び目等の浮き止めが引っかかり、釣糸がそれ以上水底側へ導出するのが抑えられる。そして、釣糸の沈降が止まる。
【００１７】
一方、水面上で強風等により釣糸が流されると、釣糸が逆に浮きから上空方向へ引き戻されるが、第２部材のフランジに釣糸の結び目等が係止され、釣糸がそれ以上、上空側へ戻らない。なお、リールで釣糸を巻き上げる等して、過剰に釣糸を本体部から上空側へ引き出せば、釣糸の結び目等はフランジを乗り越える。
【００１８】
このような浮きの別の１つは、本体部の貫通孔の内部に配置され、貫通孔に連通する孔を有する磁石と、釣糸上の所定の位置に装着される磁性体とを有している。第１抑止手段及び第２抑止手段が磁石であり、磁性体が浮き止めである。
【００１９】
この浮きも、本体部の貫通孔に釣糸を挿通した状態で用いられる。また、釣糸の一定の位置に磁性体を浮き止めとして取り付けおく。水中に仕掛けを投じると、本体部は水面に浮遊し、釣糸の先端に取り付けた錘や釣針などの重さによって釣糸は先端側から沈降する。釣糸の磁性体は本体部の貫通孔内に至り磁石に磁着して、釣糸がそれ以上水底側へ導出するのが抑えられる。そして、釣糸の沈降が止まる。
【００２０】
一方、水面上で強風等により釣糸が流されると、釣糸が逆に浮きから上空方向へ引き戻されるが、磁性体が磁石に磁着しており、釣糸は上空側へ戻らない。なお、リールで釣糸を巻き上げる等して、過剰に釣糸を本体部から上空側へ引き出せば、釣糸の磁性体と磁石との磁着は解除できる。
【００２１】
このような浮きの別の１つは、本体部の貫通孔の内部に配置され、貫通孔に連通する孔を有する磁性体と、釣糸上の所定の位置に装着される磁石とを有している。第１抑止手段及び第２抑止手段が磁性体であり、磁石が浮き止めである。
【００２２】
また、このような浮きの別の１つは、本体部の貫通孔が部分的に他の部分に比較して小径化されており、本体部の貫通孔の内部の小径化された領域の上空側に一定の間隔を隔てて配置される部材であり、貫通孔の軸方向に於いて水底方向に傾斜し且つ径方向於いて内側に張り出すフランジを有している部材を備えている。この貫通孔の小径化された部分が第１抑止手段であり、部材が前記第２抑止手段である。
【００２３】
この浮きも、本体部の貫通孔に釣糸を挿通した状態で用いられる。また、釣糸の一定の位置に結び目などの浮き止めを形成しておく。水中に仕掛けを投じると、本体部は水面に浮遊し、釣糸の先端に取り付けた錘や釣針などの重さによって釣糸は先端側から沈降する。釣糸の結び目は部材を挿通して本体部の貫通孔内に至り、貫通孔の小径化された部分に引っかかり、釣糸がそれ以上水底側へ導出するのが抑えられる。そして、釣糸の沈降が止まる。一方、水面上で強風等により釣糸が流されると、釣糸が逆に浮きから上空方向へ引き戻されるが、釣糸の結び目が部材のフランジに引っ掛かって、釣糸は上空側へ戻らない。なお、リールで釣糸を巻き上げる等して、過剰に釣糸を本体部から上空側へ引き出せば、釣糸の結び目などはフランジを乗り越える。
【００２４】
なお、本発明の浮きにおいては、第１抑止手段及び第２抑止手段は、本体部の貫通孔の軸方向の中央付近に配置されているのが好ましい。
【発明の効果】
【００２５】
本発明の浮きによれば、風を受けても釣糸が引き上げられ難く一定の深さに釣針を位置させることができる。さらに、釣人が「当たり」に的確に反応できる。
【発明を実施するための最良の形態】
【００２６】
［第１実施形態］
以下、本発明の第１実施形態について図面を参照しつつ説明する。
【００２７】
図１に示すように、本発明の第１実施形態を採用した浮きは、本体部１と、本体部１の内部に収納されている錘２と、フランジ体３とからなる。
【００２８】
本体部１は、発泡ポリウレタンやＡＢＳ樹脂等の硬質合成樹脂材から構成される球状の部材である。浮き全体としてその比重が凡そ１程度となるように調整される。浮きを水面付近に漂わせるためである。本体部１には１つの軸方向に貫通孔１ａが貫通している。この貫通孔１ａの水底側の開口に錘２が嵌め込まれて固定されている。また、錘２に隣接してその上面側にはフランジ体３が貫通孔１ａに嵌め込まれて固定されている。
【００２９】
錘２は貫通孔１ａの一方の開口付近の内周面を部分的に削って拡径化した部分に挿入されて固定されている。例えば、鉛や真鍮，その他の金属等から構成されている。軸方向に孔が貫通しており、この孔は上述の本体部１の貫通孔１ａに連通するものである。錘２の孔は、本体部１の内部側において大径で貫通孔１ａの径に合致しているが、本体部１の外部側においては小径化されている。小径化された孔の内周面には周方向に延びて凹凸溝が形成される。この小径化される孔の径は釣糸Ｌが挿通可能な程度に設定され、例えば、0.5〜1.5mm程度に設定される。このような錘２が配置される側が鉛直方向において水底方向に位置することになる。
【００３０】
フランジ体３は貫通孔１ａに内嵌された略パイプ状の部材であり、合成樹脂材等から構成される。フランジ体３のパイプの孔は貫通孔１ａの底面側ほど小径化するように加工してもよい。特に、このフランジ体３の底面側（錘２側）端部は、水底方向に傾斜し且つ径方向於いて内側に張り出すフランジとなっている。このフランジ体３の最小径は、上述の錘２の孔の最小径よりやや大きく、2.0〜4.0mm程度に設定するのがよい。このフランジ体３は、例えば、貫通孔１ａの内周面の一部を部分的に大径化しておき、貫通孔１ａの上端側からこの大径化した部分に無理矢理嵌め込む等によって内嵌させることができる。この錘２とフランジ体３との距離は、1.0〜4.0mm程度に設定しておくのが好ましい。
【００３１】
このように構成される浮きは、以下のようにして用いられる。まず、図２（ａ）に示すように、リールからの釣糸Ｌを、釣竿の所定の釣糸ガイドに挿通した後に、フランジ体３から本体部１の貫通孔１ａを経て錘２の孔へと挿通する。そして、釣糸Ｌの先端側には釣針やガン玉錘など必要な部材を装着する。また、浮きよりリール側の釣糸Ｌの一部に別途釣糸を巻き付けて浮き止め糸Ｐを形成し、若しくは小球等の「浮き止め」を取り付けておく。
【００３２】
図２（ｂ）に示すように、水中に仕掛けを投じると、錘２を水底側にして浮きの本体部１は水面に浮遊し、釣糸Ｌの先端に取り付けた錘や釣針などの重さによって釣糸Ｌは先端側から水底方向へ沈降する。釣糸Ｌの浮き止め糸Ｐはフランジ体３を挿通して本体部１内の貫通孔１ａに至り、錘２の小径部分に引っかかる。釣糸Ｌはそれ以上水底側へ導出するのを抑えられ、釣糸Ｌの沈降が止まる。
【００３３】
一方、図２（ｃ）に示すように、水面上で強風等により釣糸Ｌが流されると、釣糸Ｌが逆に浮きから上空方向（釣竿側）へ引き戻される。しかし、フランジ体３の内側のフランジに釣糸Ｌの浮き止め糸Ｐが引っかかり、釣糸Ｌがそれ以上、上空側へ戻らない。よって、浮きから釣針までの距離が変化することなく、一定の水深位置に釣針を位置させることができる。さらに、釣糸Ｌの先端の仕掛けの釣針に魚が係り、魚が釣糸を引きつけた場合には、浮き止め糸Ｐは直ちに錘２に当たり、浮きの本体部１が反応する。釣人は、魚の「当たり」を瞬時に認識して魚を釣り上げることができるのである。
【００３４】
なお、リールで釣糸Ｌを巻き上げる等して、浮きが釣竿の釣糸ガイドに至り、過剰に釣糸Ｌを本体部１から上空側へ引き出す力が加われば、釣糸Ｌの浮き止め糸Ｐはフランジ体３のフランジを乗り越えて挿通し、釣糸Ｌを十分にリールに巻きとることができる。
【００３５】
［第２実施形態］
以下、本発明の第２実施形態について図面を参照しつつ説明する。
【００３６】
図３に示すように、本発明の第２実施形態を採用した浮きは、本体部１１と、本体部１１の内部に収納されている磁石１２とからなる。また、釣糸Ｌには別途磁性体１３を装着する。
【００３７】
本体部１１は、第１実施形態と同様に、発泡ポリウレタンやＡＢＳ樹脂等の硬質合成樹脂材から構成される球状の部材である。１つの軸方向に貫通孔１１ａが貫通している。この貫通孔１１ａの一方の開口付近は特に一段小径化されている。この貫通孔１１ａの小径化された側に磁石１２が収納される。なお、他方側の開口に別途保護リングなどを装着してもよい。
【００３８】
磁石１２は中央に孔が貫通している孔つき円盤形の部材である。その外径は貫通孔１１ａ大径部分の内径に、その内径は貫通孔１１ａの小径部分の内径に合致しており、貫通孔１１ａ内に収納されている。なお、磁石１２の内径（貫通孔１１ａの小径部分の内径）は釣糸Ｌが挿通可能な程度に設定され、上述の第１実施形態と同様に、例えば、0.5〜1.5mm程度に設定される。このような磁石１２が錘としても作用し、磁石１２を装着した側が鉛直方向において水底方向に位置する。
【００３９】
磁性体１３は、軸方向に貫通する貫通孔及び外部からこの貫通孔に至るスリットが形成された、金属等からなる部材である。釣糸Ｌをスリットから貫通孔に滑り込ませて、圧を欠けて磁性体１３を潰して、釣糸Ｌ上の任意の位置に磁性体１３は装着される。この磁性体１３は本体部１１の貫通孔１１ａ内の大径部分に収納可能な大きさであれば足りるが、好ましくは、貫通孔１１ａの小径部分より太径のものとするのがよい。
【００４０】
このように構成される浮きは、以下のようにして用いられる。第１実施形態と同様に、リールからの釣糸Ｌを、釣竿の所定の釣糸ガイドに挿通した後に、本体部１１の貫通孔１１ａへ導き、磁石１２の孔から導出する。そして、釣糸Ｌの先端側には釣針やガン玉錘など必要な部材を装着する。磁性体１３は本体部１１より釣竿側に位置するようにする。
【００４１】
水中に仕掛けを投じると、磁石１２側を水底側にして浮きの本体部１１は水面に浮遊し、釣糸Ｌの先端に取り付けた錘や釣針などの重さによって釣糸Ｌは先端側から水底方向へ沈降する。釣糸Ｌ上に固定されている磁性体１３は本体部１１の貫通孔１１ａ内に収納され、磁石１２に磁着する。そして、釣糸Ｌはそれ以上水底側へ導出するのを抑えられ、釣糸Ｌの沈降が止まる。
【００４２】
一方、水面上で強風等により釣糸Ｌが流されると、釣糸Ｌが逆に浮きから上空方向（釣竿側）へ引き戻される。しかし、磁性体１３が磁石１２に磁着しており、釣糸Ｌは上空側へ戻らない。よって、浮きから釣針までの距離が変化することなく、一定の水深位置に釣針を位置させることができる。さらに、リールで釣糸Ｌを巻き上げる等して、浮きが釣竿の釣糸ガイドに至り、過剰に釣糸Ｌを本体部１１から上空側へ引き出す力が加われば、釣糸Ｌの磁性体１３は磁石１２から外れ、釣糸Ｌを十分にリールに巻きとることができる。
【００４３】
なお、この実施形態では、浮きに磁石を、釣糸の浮き止めとして磁性体を利用しているが、これらは入れ替えてもよい。
【００４４】
［第３実施形態］
さらに、別の変形例を示す。
【００４５】
図４に示すように、本発明の第３実施形態を採用した浮きは、本体部２１と、本体部２１の内部に収納されている錘２２と、フランジ体２３とからなる。本体部２１とフランジ体２３とは第１実施形態と同様であり、説明を省略する。
【００４６】
錘２２は本体部２１の貫通孔２１ａの一方の開口付近の内周面を部分的に削って拡径化した部分に挿入されて固定されている。例えば、鉛や真鍮，その他の金属等から構成されている。軸方向に孔が貫通しており、この孔は上述の本体部２１の貫通孔２１ａに連通するものである。錘２２の孔は貫通孔２１ａに比較して小径化されている。その径は釣糸Ｌが挿通可能な程度に設定され、例えば、0.5〜1.5mm程度に設定される。このような錘２２が配置される側が鉛直方向において水底方向に位置することになる。
【００４７】
このような浮きにおいても、釣糸Ｌの所定の位置に、例えば、浮き止めビーズＰ１を装着しておくことで、第１実施形態と同様に用いることができる。
【００４８】
［第４実施形態］
さらに、別の変形例を示す。
【００４９】
図５に示すように、本発明の第４実施形態を採用した浮きは、本体部３１と、フランジ体３３とからなる。
【００５０】
本体部３１には第１実施形態と同様に貫通孔３１ａが形成されている。本体部３１の貫通孔３１ａはその軸長方向中央付近の一定の領域においては、他の部分より小径化されておりネック状に加工されている。ネック状になっている部分において、貫通孔３１ａは1.0mm 程度の穴径となる。ネック状になっている部分の上空側に隣接してフランジ体３３が貫通孔３１ａに内嵌されている。フランジ体３３については上記各実施形態と同種であり、説明を省略する。なお、本体部３１には、必要に応じて、その水底側に錘などを適宜配置してもよい。
【００５１】
このような浮きにおいても、釣糸Ｌの所定の位置に、浮き止めＰ２を装着しておくことで、第１実施形態と同様に用いることができる。
【図面の簡単な説明】
【００５２】
【図１】本発明の第１実施形態を採用した浮きを示した図。
【図２】図１の浮きの使用態様を示した図。
【図３】本発明の第２実施形態を採用した浮きを示した図。
【図４】本発明の第３実施形態を採用した浮きを示した図。
【図５】本発明の第４実施形態を採用した浮きを示した図。
【符号の説明】
【００５３】
１，１１，２１，３１  本体部
２，２２  錘
３，２３，３３  フランジ体
１２  磁石
Ｌ  釣糸
【図１】
2004215652.tif 000003
【図２】
2004215652.tif 000004
【図３】
2004215652.tif 000005
【図４】
2004215652.tif 000006
【図５】
2004215652.tif 000007